(57)【要約】【課題】  本発明は、救命現場において、緊急施術等をする際に、袖の着脱を容易にできかつ汚物が袖内に流入しないこと、上衣表面の突起物なくすためポケットを内付にしつつポケットから医療器具等を取れること、袖口から進入した汚染血液などを排出することを可能とする。【解決手段】    本発明は、袖の外側と身頃の内側に面ファスナーなどを用いて容易に袖を離脱できるようにし、前身頃を二枚仕立てとし内側の前身頃にポケットをおくとともに内側と外側の前身頃の間を止水ファスナーで開閉できるようにして上衣を開かずに内ポケットから出し入れを可能とし、袖を二枚仕立てにしてその間隙に通じる排水穴を設けることにより汚染血液などを排出することを可能とした。【選択図】図２
2019035179.tif 000002
【特許請求の範囲】
【請求項１】
左右の各袖の身頃にそれぞれ近接した部分の外側にあたる部位と身頃の各袖に近接した部分の内側にあたる部位とに、それぞれ面ファスナー等の簡易接着離脱要素をつけることによって、袖を身頃の中に入れる配置（比翼仕立）とするとともに各袖を身頃から容易に着脱することを可能とする上衣
【請求項２】
左右の各袖が上部と下部との部分に分かれており、その下部の外側とその上部の内側にあたる部位に、それぞれ面ファスナー等の簡易接着離脱要素を接合することによって、各袖の下部を各袖の上部の中に入れる配置（比翼仕立）とするとともに、各袖の下部を各袖の上部と一体となっている上衣から容易に着脱することを可能とする上衣
【請求項３】
左右それぞれの前身頃をそれぞれ二枚仕立てとし、その内側の前身頃にポケットを設置し、内側の前身頃と外側の前身頃の間に止水ファスナーを設置することによって、上衣の表面から突起物を排除しつつポケットからの出し入れを可能とするとともにポケットへ出し入れの際に上衣本体を開くこと必要がない請求項１の上衣
【請求項４】
左右それぞれの前身頃をそれぞれ二枚仕立てとし、その内側の前身頃にポケットを設置し、内側の前身頃と外側の前身頃の間に止水ファスナーを設置することによって、上衣の表面から突起物を排除しつつポケットからの出し入れを可能とするとともにポケットへ出し入れの際に上衣本体を開くこと必要がない請求項２の上衣
【請求項５】
袖が外側の袖と内側の袖の二重（二枚仕立）となっており、内側の袖と外側の袖にはそれぞれ袖口があり、それぞれの袖口から離れた位置で両袖は円周状に縫合されており、その縫合の線よりも袖口に近い位置にある外側の袖口に排水用の穴が設置されて外側の袖と内側の袖の間の間隙に袖口から進入した液体が排出することが可能な請求項１の上衣
【請求項６】
下側の袖が外側の下側の袖と内側の下側の袖の二重となっており、内側の下側の袖と外側の下側の袖にはそれぞれ袖口があり、それぞれの袖口から離れた位置で両袖は円周状に縫合されており、その縫合の線よりも袖口に近い位置にある外側の袖口に排水用の穴が設置されて外側の下側の袖と内側の下側の袖の間の間隙に袖口から進入した液体が排出することが可能な請求項２の上衣
【請求項７】
左右それぞれの前身頃をそれぞれ二枚仕立てとし、その内側の前身頃にポケットを設置し、内側の前身頃と外側の前身頃の間に止水ファスナーを設置することによって、上衣の表面から突起物を排除しつつポケットからの出し入れを可能とするとともにポケットへ出し入れの際に上衣本体を開くこと必要がない請求項５の上衣
【請求項８】
左右それぞれの前身頃をそれぞれ二枚仕立てとし、その内側の前身頃にポケットを設置し、内側の前身頃と外側の前身頃の間に止水ファスナーを設置することによって、上衣の表面から突起物を排除しつつポケットからの出し入れを可能とするとともにポケットへ出し入れの際に上衣本体を開くこと必要がない請求項６の上衣
【発明の詳細な説明】
【技術分野】
【０００１】本発明は、救急救命や災害現場などへ向かう医師、看護師や救命士が、汚染血液が飛散しているなどの過酷な状況にある救急現場において、院外で緊急施術等をする際に、その作業を安全かつ容易にするための上衣に関するものである。【０００２】  着脱容易な袖を内側として身頃の中に入れる配置（比翼仕立）にすることにより、あるいは着脱容易な袖の下部を内側としてその上部の中に入れる配置（比翼仕立）にすることにより、雨水や流血などの汚物の流入を減少させることを可能としつつ、必要に応じて袖を簡便にかつ迅速に着脱することを可能とする上衣に関するものである。【０００３】  また、災害地などの障害物のある現場において、両手の自由を確保しながら、医療器具などを携帯するためには大容量のポケットが必要であるが、そのポケットやその収納物による突起によって思わぬ二次災害に遭遇することを防ぐことを可能としつつ、吹雪や大雨、あるいは感染性の汚染血液である可能性のある血液の飛散場面などの過酷な現場において、上衣本体を開けることなく、医療器具などを上衣のポケットから取り出すことを可能とする上衣に関するものである。【０００４】  また、雨水や汚染血液飛散場面などの過酷な状況において、医師らの身体を保護する必要上、袖をつけたままでも、袖口から流入する雨水や汚染血液などを排水して医師が汚染されることを防ぐことを可能とする上衣に関するものである。
【背景技術】
【０００５】  救急救命用の上衣としては、防水素材を工夫するなどの進歩は見られているが、災害地でのＤＭＡＴ活動など極限環境で用いるためには、袖を必要に応じて簡便かつ迅速に着脱する必要があるところ、現状ではそれができないなどの問題があった。【０００６】  また、障害物がある現場で大きな外付けのポケットが邪魔になるなどの問題もあったが、単なる内ポケットでは、内ポケットから医療器具等を取り出す際に、上衣を開けざるを得ず、その際、医師等が汚染血液等によってその身体を汚染されるリスクを負うという問題があった。【０００７】  また、汚染血液が飛散しているなどの現場の状況から、袖をつけたまま施術等をした方が医師らの保護になる場合、汚染血液や雨水などが袖口から親友医師らが感染しかねないなどの問題があり、肌に触れることなく撥水させ脱水させる必要があるという問題があった。
【発明の概要】
【発明が解決しようとする課題】
【０００８】  本発明は、救急救命や災害救助など屋外（院外）で施術することを求められる医師、看護師や救命士が、救命現場において、緊急施術等をする際に、袖を外したほうがいい場合も、逆につけた方がいい場合もあり、その着脱を容易にできることが求められていた。  ただし、袖を単純に身頃の外に付けることにより着脱可能とすると、その継ぎ目から雨水や流血などの汚物が袖内に流入しやすくなるという問題があった。【０００９】  あるいは袖の下部だけの脱着で十分だとしても、袖下部を単純に袖上部の外に付けることにより着脱可能とすると、その継ぎ目から雨水や流血などの汚物が袖の下部内に流入して医師の感染のリスクが増大するなどの問題があった。【００１０】  また、ＤＭＡＴ派遣などの障害物のある災害現場において、両手の自由を確保しながら、最悪の場合には着の身着のままで３昼夜にも及ぶ連続勤務を余儀なくされることから、医療器具などを携帯するために大容量のポケットが必要となるが、ポケットが外付けであると、その突起によって、思わぬ二次災害に遭遇する危険があった。
かといって、ポケットを単純に内側につけるだけだと、ポケットから医療器具などを取り出す際に上衣を開けざるを得なくなり、その際、汚染血液などが医師などの身体にかかる恐れがあった。【００１１】  また、汚染状況によっては、袖をつけたまま医師などの身体を保護するほうが好ましい場合もあるが、その際、袖口から汚染血液などが流入し、そのままでは極めて不衛生な状況となる恐れがあった。【００１２】  そこで、本発明は、袖を比翼仕立にしつつも離着脱を容易なものとし、左右の前身頃を二枚仕立てとして、上衣表の一枚目の前身頃とその下の二枚目の前身頃との間を止水ファスナーで開け閉めできるようにし、二枚目の前身頃にポケットを設置することにより、ポケットを上衣全体から見れば内側につけることになるため上衣外側の突起を減らすことができるとともに、上衣を開くことなくポケットから収容物を取り出すことを可能にし、更には袖を二重袖として排水穴を設けることにより前述の問題点を解決しようとするものである。
【課題を解決するための手段】
【００１３】  そこで、左右の各袖の身頃にそれぞれ近接した部分の外側にあたる部位と身頃の各袖に近接した部分の内側にあたる部位とに、それぞれ面ファスナー等の簡易接着離脱要素をつけることによって各袖を身頃から容易に（典型的には強く引っ張るだけで）着脱することを可能とするとともに、雨水汚物等の袖への流入しにくくした。【００１４】  あるいは、左右の各袖を上部と下部の２つの部分が接合する形態とし、上部の接合部位の内側と、下部の外側とに、それぞれそれぞれ面ファスナー等の簡易接着離脱要素をつけることによって袖下部を袖上部から容易に着脱する（具体的には強く引っ張るだけで）ことを可能とするとともに、雨水汚物等の袖下部への流入をしにくくさせた。【００１５】  あるいは、左右の前身頃を二重として、上衣表の一枚目の前身頃とその下の二枚目の前身頃との間をファスナーで開け閉めできるようにし、二枚目の前身頃にポケットをおいて内付とすることによって上衣外側の突起を減らすとともに、上衣を開くことなくポケットから内容物を取り出すことを可能にした。【００１６】  あるいは、着脱可能な袖の部分を二重袖とし、その部分の上端近くに二重袖の間の空隙に通じる排水穴を設けることにより、袖口から侵入した汚染血液や雨水などを排水穴から排出することによって、前述の問題点を解決しようとするものである。
【発明の効果】
【００１７】  そこで、左右の各袖の身頃にそれぞれ近接した部分の外側にあたる部位と身頃の各袖に近接した部分の内側にあたる部位とに、それぞれ面ファスナー等の簡易接着離脱要素を接着することによって各袖を身頃から容易に着脱することを可能とするとともに、雨水や流血などの汚物が袖内に流入しにくくすることができた。【００１８】  また、左右の各袖を上部と下部の２つの部分が接合する形態とし、上部の接合部位の内側と、下部の外側とに、それぞれそれぞれ面ファスナーあるいは止水ファスナーなどの簡易接着離脱要素を接着することによって袖下部を袖上部から容易に着脱することを可能とするとともに、雨水汚物等の袖下部へ流入しにくくすることができた。【００１９】  また、左右の前身頃を二重として、上衣表の一枚目の前身頃とその奥の二枚目の前身頃との間を止水ファスナーで開け閉めできるようにし、二枚目の前身頃に内ポケットを設置することにより、ポケットが内付であることによって上衣外側の突起を減らすとともに、上衣を開くことなくポケットから内容物を取り出すことにより、医師らを汚染から守ることと突起物による被害防止の両立を可能にした。【００２０】  また、着脱可能な袖の部分を二枚仕立てとし、その部分の上端近くに二重袖の間の空隙に通じる排水穴を設けることにより、袖口から侵入した汚染血液や雨水などを排水穴から排出することを可能にし、袖によって医師等の身体を保護しながら、汚染を最小限にとどめることを可能にした。
【図面の簡単な説明】
【００２１】
【図１】  着脱が容易に可能な袖を取りつけた上衣を示した平面図である。
【図２】  着脱された袖と前身頃の関係を示した平面図である。
【図３】  ポケットを前身頃の内側に設置した平面図である。
【図４】  着脱された袖下部と袖上部の関係及び二枚仕立ての袖と排水穴を示した平面図である。
【発明を実施するための形態】
【００２２】  以下、添付図面に従って本発明の実施例を説明する。  図２において、左の袖（１）の身頃（３）に近接した部分の外側にあたる部位に面ファスナー（４）が接着してあり、身頃（３）の左袖に近接した部分の内側にあたる部位にも面ファスナー（５）がついている。  このことによって、袖を前身頃から強く引っ張るだけで容易に着脱することが可能となるとともに、袖の肩よりの部分が前身頃の内側に隠れているため、離脱可能部分から雨水や流血などの汚物が袖内に侵入しにくくすることができる形態となっている。
【００２３】  上記の実施例の面ファスナーに加えて、袖と身頃の間を止水ファスナーをつけた実施例もあり、その場合には、台風などの風雨が強い場合にはファスナーを併用することによって、離脱可能部分からの雨水や流血などの汚物が袖内に侵入することをなお一層防止することができる形態になっている。
【００２４】  図４において、左の袖は下部（１２）と上部（１３）とが接合できるようになっており、袖の下部（１２）の上端に近い部位の外側にあたる部位に面ファスナー（１４）が、袖の上部（１３）の下端に近い部位の内側にあたる部位にも面ファスナー（１５）が接着してある。  このことによって、袖の下部を袖の上部から容易に着脱することが可能となるとともに、袖の下部の上端が袖の上部の内側に隠れている（比翼仕立）ため、離脱可能部分から雨水や流血などの汚物が袖の下部内に侵入しにくい形態となっている。
【００２５】  図３において内側の前身頃（１９）の上にポケット（６）ないし（１１）が配置されている。  外側の前身頃（１８）と内側の前身頃（１９）の二枚仕立てとなっている（２０）。  内側の前身頃（１９）と外側の前身頃（１８）との間は左右独立に止水ファスナー（左側のファスナー  ２１）が開閉できるように取りつけられており、上衣本体を開かなくても、前と後ろの前身頃間の止水ファスナー（２１）を開くだけで、ポケット（６）ないし（１１）から医療器具などを取り出すことが可能な形態となっている。
【００２６】  図４において、袖を二重袖（二枚仕立て）とする形態もある。  その場合、外側の袖（１２）と内側の袖（１６）との二重となっており、外側の袖の肘にあたる位置に排水穴（１７）が開いて二重袖の間隙に通じることによって、袖口から進入した雨水や汚染血液などが排水穴（１７）から外に排出することが可能な形態となっている。
【符号の説明】
【００２７】１  左袖
２  右袖
３  前身頃
４  左袖の上部外側に取りつけられたマジックテープ
５  前身頃の袖との接合部位の内側に取りつけられたマジックテープ
６  前身頃の内側に取りつけられたポケット
７  同上
８  同上
９  同上
１０  同上
１１  同上
１２  左袖の下部部分
１３  左袖の上部部分
１４  左袖の下部部分の外側にとりつけられたマジックテープ
１５  左袖の上部部分の内側にとりつけられたマジックテープ
１６  左袖の下部部分が二重袖となっている二重袖内側部分
１７  左袖の下部部分の二重袖の外側部分に空いた排水用穴
【図１】
2019035179.tif 000003
【図２】
2019035179.tif 000004
【図３】
2019035179.tif 000005
【図４】
2019035179.tif 000006